(57)【要約】【課題】本発明は、固有情報が保護層側から目視できないように隠蔽性を有する低融点金属薄膜層により隠蔽されており、その低融点金属薄膜層の加熱により溶融した部分が隠蔽性を消失し、視認可能となる固有情報を記録・表示する情報表示媒体およびその表示媒体の情報改ざん・偽造を容易に確認できる真偽判定方法を提供することを課題とするものである。【解決手段】基材上に、少なくとも低融点金属薄膜層および保護層を有する情報表示媒体において、前記保護層が、外部刺激により可視域の光を発する発光材料を含有していることを特徴とする情報表示媒体およびその表示媒体の真偽判定方法である。【選択図】図１
2004082584.tif 000002
【特許請求の範囲】
【請求項１】
基材上に、少なくとも低融点金属薄膜層および保護層を有する情報表示媒体において、前記保護層が、外部刺激により可視域の光を発する発光材料を含有していることを特徴とする情報表示媒体。
【請求項２】
前記基材と低融点金属薄膜層の間に、絵柄、文字、あるいは数字のいずれか少なくとも１以上の印刷による印刷情報部を有していることを特徴とする請求項１記載の情報表示媒体。
【請求項３】
前記基材が透明であって、該基材の一方の側に前記低融点金属薄膜および保護層を設け、該基材の他方の側に、絵柄、文字、あるいは数字のいずれか少なくとも１以上による印刷情報部、および隠蔽層を有していることを特徴とする請求項１記載の情報表示媒体。
【請求項４】
平均粒径６０００ｎｍ以下の、蛍光体、燐光体、あるいは蓄光体のいずれか少なくとも１種類以上の発光材料を、前記保護層が０．５〜８０重量％の範囲内で含有していることを特徴とする請求項１乃至３のいずれか１項に記載の情報表示媒体。
【請求項５】
請求項１乃至４のいずれか１項に記載の情報表示媒体の前記発光材料に対応する前記外部刺激を、真偽判定の対象とするある情報表示媒体に与えて、該可視域の光を発するか否かの情報を用いて真偽判定を行うことを特徴とする情報表示媒体の真偽判定方法。
【発明の詳細な説明】
【０００１】
【発明の属する技術分野】
本発明は、固有の可視情報を表示する情報表示媒体に関し、特に低融点金属薄膜層を加熱手段によって一部を溶解せしめ、固有情報を記録・表示する情報表示媒体、あるいは、低融点金属薄膜層によって隠蔽されていた情報が表示される情報表示媒体およびその表示媒体の真偽判定方法に関する。
【０００２】
【従来の技術】
従来、低融点金属を部分的に熱破壊せしめ、情報を表示する媒体としては、プリペイドカードやポイントカード等、広く使用されている。
これらの媒体は、プリペイドカードの使用状況や使用可能な残額の表示に使用されており、機械に通すことなく、使用者が目視でこれらの情報を確認することを可能としている。また、ポイントカードにおいては獲得したポイント等、サービスを受けられる権利情報の表示に使用されている。
一方、低融点金属を熱破壊し、その部分に隠された情報を確認する情報表示媒体として、抽選券、くじ等にも利用される。すなわち、低融点金属で予め絵柄情報を隠蔽しておき、購入者が選んだ部分を熱破壊し、露出した下地の絵柄で当選したか否かを確認する。あるいは、購入者が権利を与えられたいくつかの部分を熱破壊し、下地の絵柄が複数一致することで当選とする方式等、さまざまな抽選券に利用可能である。
【０００３】
しかしながら、これらで使用されるスズやアルミなどの低融点金属膜はコインや針等の金属を用いて、無理やり剥すことが可能である。
プリペイドカードやポイントカードにおいては表示情報を容易に改ざんし、不正に使用することが考えられる。抽選券においては、予め与えられた数よりも多くの部分を削り、あたかも当選したかのように見せかけたり、さらには、低融点金属をすべて除去した後、当選となる絵柄の文字情報を確認し、再び金属で隠蔽して、当選する券のみを選び出すことも考えられる。
【０００４】
【発明が解決しようとする課題】
本発明は、上記のような問題を解決すべくなされたものであり、固有情報が保護層側から目視できないように隠蔽性を有する低融点金属薄膜層により隠蔽されており、その低融点金属薄膜層の加熱により溶融した部分が隠蔽性を消失し、視認可能となる固有情報を記録・表示する情報表示媒体およびその表示媒体の情報改ざん・偽造を容易に確認できる真偽判定方法を提供することを課題とするものである。
【０００５】
【課題を解決するための手段】
上記課題を解決するために、請求項１の発明は、基材上に、少なくとも低融点金属薄膜層および保護層を有する情報表示媒体において、前記保護層が、外部刺激により可視域の光を発する発光材料を含有していることを特徴とする情報表示媒体である。
本発明でいう外部刺激とは、紫外線、赤外線、Ｘ線、その他の放射線（以上はいわゆる電磁波の類）、電子線、電界、あるいは化学反応、等のうちのいずれか少なくとも１以上あって、要は、これらのいずれかを適宜与えることによって発光材料が可視域の光（代表例は蛍光あるいは燐光のいずれか少なくとも１方。蓄光体の蓄光もここでいう可視域の光に含む。）を発するものであればよい。特には、外部刺激を与えて光を発するか否かの検証を行う際の検証機の製作又は入手が比較的容易なことから、この中でも紫外線あるいは赤外線が好ましい。
また、本発明に好適な発光材料としては、必ずしも限定されるべきものではないが、上記の理由から特には紫外線あるいは赤外線によって可視域の光を発するものが好ましい。具体例としては、紫外線によって蛍光を発するもの、又は、赤外線によって蛍光を発するものである。中でも、前者（紫外線によって蛍光を発する発光材料）は、現状、低コストで入手できることから、現状では本発明に最適である。
【０００６】
請求項２の発明は、前記基材と低融点金属薄膜層の間に、絵柄、文字、あるいは数字のいずれか少なくとも１以上の印刷による印刷情報部を有していることを特徴とする請求項１記載の情報表示媒体である。
本発明でいう印刷情報部は、絵柄だけ、文字だけ、数字だけ、絵柄と文字、文字と数字、数字と絵柄、あるいは絵柄と文字と数字、のいずれでもよい。また、少なくとも１以上とは、このように絵柄、文字、あるいは数字のいずれかが用いてあればよく、さらにこれら以外の何か、例えば記号、マーク、等々が使用されていてもよい。
【０００７】
請求項３の発明は、前記基材が透明であって、該基材の一方の側に前記低融点金属薄膜および保護層を設け、
該基材の他方の側に、絵柄、文字、あるいは数字のいずれか少なくとも１以上による印刷情報部、および隠蔽層を有していることを特徴とする請求項１記載の情報表示媒体である。
ここでいう印刷情報部も、請求項２の発明での場合と同様である。
【０００８】
請求項４の発明は、平均粒径６０００ｎｍ以下の、蛍光体、燐光体、あるいは蓄光体のいずれか少なくとも１種類以上の発光材料を、前記保護層が０．５〜８０重量％の範囲内で含有していることを特徴とする請求項１乃至３のいずれか１項に記載の情報表示媒体である。
本発明でいう発光材料としては、蛍光体、燐光体、あるいは蓄光体が代表例に挙げられる。性能や低コスト性でも現状優れていることから、本発明では、蛍光体が現在最も好ましい（特には、前記のように紫外線により蛍光を発する蛍光体）。
【０００９】
請求項５の発明は、請求項１乃至４のいずれか１項に記載の情報表示媒体の前記発光材料に対応する前記外部刺激を、真偽判定の対象とするある情報表示媒体に与えて、該可視域の光を発するか否かの情報を用いて真偽判定を行うことを特徴とする情報表示媒体の真偽判定方法である。
もし本物か偽者かが判っていない情報表示媒体があって、その真偽判定を行おうとする場合に、もし本物（本発明によって正規に作製された情報記録媒体）であれば、その保護層には前記発光材料が含有されているので、その発光材料に適する外部刺激を与えてやると、その発光材料に相応しい可視域の光を発するはずであるから、その発光の有無を利用して情報記録媒体の真偽判定が可能となる。
【００１０】
【発明の実施の形態】
以下に、本発明の実施の形態を詳細に説明する。
図１は、本発明による情報表示媒体の基本的な一実施例を示す断面図である。図１に示すように、本発明による情報表示媒体は、基材１１の一方の側に、低融点金属薄膜層１２、検証可能な発光材料を含有してなる保護層１３が設けられている。このような、情報表示媒体は低融点金属層１２を熱で破壊し、文字や絵柄を記録する。この熱破壊を行った際に、保護層は除去されず、低融点金属薄膜のみが破壊されるがコインや針で低融点金属薄膜層を除去しようと試みると、低融点金属薄膜層のみならず保護層まで除去されてしまう。本発明のように発光材料を保護層１３に添加してあれば、紫外線等の外部刺激を与え、発光を確認することで、熱破壊によって印字されたものか、コインや針で無理やり除去されたものかを容易に判別可能となる。
【００１１】
また、図２、３に示した抽選券の実施例においても同様な効果が得られる。
図２は基材１１の一方の側に、抽選情報となる印刷情報部２４、および印刷情報部を隠蔽するように全面あるいは一部に設けられた低融点金属薄膜層１２、検証可能な発光材料を含有してなる保護層１３が順次積層してなる。このような構成は印刷情報部２４の凸凹形状が完全に隠蔽できないため、完全に凸凹形状まで隠蔽するためには図３の構成が適している。すなわち、透明基材３１の一方の側に、低融点金属薄膜層１２、保護層１３が設けられ、他方の側に印刷情報層２４と隠蔽層３５が設けられた構成である。いずれも、低融点金属層１２を熱破壊し、情報を記録するあるいは印刷情報２４を確認する構成となっている。
【００１２】
これらの構成の場合でも保護層１３の発光を確認することで、正規に熱破壊によって低融点金属薄膜層１２が除去されたものであるのか、無理やり破壊されたものであるのかが容易に判別される。また、低融点金属薄膜層１２すべてを除去し、印刷情報部２４を確認した後、新たに金属薄膜を設けたとしても、保護層１３の発光の有無で偽造品を見分けることが可能となる。
【００１３】
以下、上記の各構成の材料および製法に関して詳細に説明する。
基材１１、透明基材３１は公知のフィルムやシートが使用可能であり、加工適性や操作性、耐性等に応じて、適宜選択され使用可能である。低融点金属薄膜層１２としてはＳｎやＡｌ等の薄膜が挙げられるが、サーマルヘッド等の加熱手段において溶融・除去されるものであれば適宜選択され使用することができる。その形成方法も直接、蒸着法やスパッター法の金属薄膜形成技術で形成する手法のみならず、予め薄膜を形成した転写箔を用いて全面あるいは部分的に設ける転写印刷法にて形成することも可能である。
【００１４】
保護層１３は有機高分子材料からなるバインダー樹脂に発光材料を溶解あるいは、分散したものが使用される。このような、発光材料は外部刺激により可視域の光を発するものであり、紫外線・赤外線・電子線・Ｘ線・放射線・電界・化学反応等の外部刺激により発光する蛍光体・燐光体・畜光体等が挙げられる。上記発光材料は、保護層１３を形成してなるバインダー樹脂に適宜添加して使用される。その添加量としては０．５〜８０％の範囲内で添加するのが望ましい。０．５％以下の添加量では十分な発光が得られず、８０％以上の添加量になるとバインダー樹脂との結着力が弱くなり、最終製品としての耐性が弱くなる。また、サーマルヘッド等の発熱体で低融点金属薄膜を破壊する際、確実に熱が伝わるように６０００ｎｍ以下の粒子が望ましい。
【００１５】
次ぎに、これら発光材料に関して詳しく説明する。
蛍光体は、外部からの刺激（励起）により可視域付近の光を発するものであるが、励起の停止後に目に感じられる程度の時間（０．１ｓｅｃ程度）以上の残光が続くものを燐光体という。また、長残光のものを畜光体と呼ぶ。
【００１６】
蛍光性物質としては、次のものが挙げられる。
紫外線発光蛍光剤は、紫外線により励起され、これよりも低いエネルギー準位に戻るときに発するスペクトルのピークが青、緑、赤等の波長域にあるものであり、硫化亜鉛やアルカリ土類金属の硫化物の高純度蛍光体に、発光をより強くするために微量の金属（銅、銀、マンガン、ビスマス、鉛など）を付活剤として加えた後、高温焼成にて得られる。母体結晶と付活剤の組み合わせにより、色相、明るさ、色の減衰の度合いを調整できる。
【００１７】
一方、赤外線発光蛍光剤は、赤外光で励起し、可視光に発光する赤外可視変換蛍光剤と、赤外光で励起し、より長波長に発光するものがある。前者の赤外可視変換蛍光剤は、非常に特殊な励起機構を持つ蛍光体であり、エネルギーの小さな赤外線の光子を複数個用いることによって可視発光の励起を行う。これらの発光機構には２つのタイプがあり、一方は付活剤イオンの中の多段階の励起によって、他方は増感剤からの複数回の共鳴エネルギー伝達によって、それぞれ高い励起が可能になる。先のタイプは、Ｅｒ３＋やＨｏ３＋を付活剤とする多くの母体結晶で観測され、後のタイプは増感剤Ｙｂ３＋が赤外線を吸収し、多段階のエネルギー伝達によって発光中心のＥｒ３＋、Ｔｍ３＋、Ｈｏ３＋等を高い準位に励起する。
また、母体結晶として硫化物（ＺｎＳ、ＣｄＳ）や酸硫化物（Ｙ２Ｏ２Ｓ）のように電子の移動度が大きく、光導電性を持った半導体的物質は、電子線励起蛍光体として使用することが可能である。
【００１８】
一方、Ｘ線や粒子線などの放射線に対して効率の高い蛍光体（Ｚｎ、Ｃｄ）Ｓ：Ａｇや、電気エネルギーを直接ルミネッセンスに変える電界発光蛍光体も使用可能な例として挙げておく。
さらには、上記の蛍光材料以外にも、ジアミノスチルベンジルスルホン酸などのスチルベン系、ジアミノジフェニル系、イミダゾール系、チアゾール系、クマリン系、ナフタールイミド系、チオフェン系などの有機系の顔料や染料を使用しても良い。
【００１９】
このような発光材料を添加した保護層はグラビア法、スクリーン印刷法等の公知のコーティングあるいは印刷方法によって厚さ０．１〜５０μｍ程度形成される。
【００２０】
印刷情報層２４は抽選に用いられる情報を記録しておく層であり、公知の印刷インキやプリンターインク等が使用され、文字、記号、数字、図形、または画像が描かれる。隠蔽層３５は印刷情報層を目視不可能とするために設けられる層であり、ＡｌやＳｎのような光を反射する材料を蒸着法やスパッター法や転写印刷法で設けたり、Ａｌ粉末や酸化チタン粉末等を含有して成り、光を遮断する隠蔽性を有するインキを公知のコーティング法や印刷法にて設けることができる。より隠蔽性を向上すべく、これらの隠蔽層を複合して設けることも可能である。
【００２１】
また、意匠性を向上すべく情報表示媒体に様々な印刷を施すことや、各層の接着性を鑑み、各層間に接着アンカー層を設けることも可能である。さらには、機械的な処理に対応すべく、磁性材料からなる磁気層や、ＩＣモジュール等の機械で読み書き可能な情報記録部を設けることも容易に考えられる。
【００２２】
【実施例】
本発明を、具体的な実施例をあげて詳細に説明する。
【００２３】
＜実施例１＞
図１に示した本発明の情報表示媒体の実施例を記す。
先ず、基材１１としての白色ＰＥＴ２５０μｍ上に上に低融点金属蒸着層１２として蒸着法によりＳｎ（融点２３０℃）を１００ｎｍの厚さで設けた。
その上に保護層１３として、グラビアコーティング法によりに紫外線を照射すると可視光線を発光する紫外蛍光材料を添加してなるアクリル樹脂（＋ワックス系滑材）を厚さ３μｍで設け、本発明の情報表示媒体を得た。
【００２４】
＜比較例１＞
図１に示した本発明の情報表示媒体と同様に、基材となる白色ＰＥＴ２５５μｍ上に上に低融点金属蒸着層として蒸着法によりＳｎ（融点２３０℃）を１００ｎｍの厚さで設けた。その上に保護層として、グラビアコーティング法により発光材料を添加していないアクリル樹脂（＋ワックス系滑材）を厚さ３μｍで設け、比較例の情報表示媒体を得た。
【００２５】
＜実施例２＞
図４に示した本発明の情報表示媒体の実施例を記す。
先ず、透明基材３１としてのＰＥＴ１８８μｍ上にグラビアコーティング法により接着アンカー層１７（ポリエステル樹脂）を３μｍ設け、その上に低融点金属蒸着層１２として蒸着法によりＳｎ（融点２３０℃）を１００ｎｍの厚さで設けた。その上に保護層１３として、グラビアコーティング法により紫外線を照射すると可視光線を発光する紫外蛍光材料を添加してなるアクリル樹脂（＋ワックス系滑材）を設けた。
【００２６】
次に、透明基材３１の低融点金属蒸着層１２と反対側に、グラビア法によりインキジェット受像層１８を１５μｍ設けた上に、あらかじめプログラムされたゲームの情報をインキジェットプリンターにより逆文字（鏡面文字）にて印字して印刷情報層２４を形成した。さらに、印刷情報層２４上にスクリーン印刷法により銀インキ（高分子樹脂＋アルミペースト）を隠蔽層３５として１０μｍ設けた。こうして抽選券等に使用される本発明の情報表示媒体を得た。
【００２７】
以上のように作製された情報表示媒体は、実施例１及び実施例２においては紫外線を照射すると全面に発光が観察されたが、比較例では発光が観察されないものである。
【００２８】
次に、実施例１と比較例１にサーマルヘッドを用いて数字を印字した後、針を用いて数字を書き足す改ざんを行った。
これらの情報表示媒体に紫外線を照射したところ実施例１ではサーマルヘッドで印字した部分で発光が観察され、書き足された数字部分では発光が観察されず、改ざんされたことが容易に判明した。しかしながら、比較例ではもともと発光がないため、サーマルヘッドで印字された部分も後に書き足された部分の区別がつかず、改ざんを見破ることができなかった。
【００２９】
一方、実施例２においては低融点金属薄膜層１２の一部分をサーマルヘッドで除去し、下地の絵柄を観察できるようにした。その後、コインを用いて他の部分を削り、表示情報の改ざんを行った。この情報表示媒体に紫外線を照射したところ、コインで破壊した部分で発光は観察されず、改ざんされたことが容易に判明した。
【００３０】
【発明の効果】
本発明により、固有情報が保護層側から目視できないように隠蔽性を有する低融点金属薄膜層により隠蔽されており、その低融点金属薄膜層の加熱により溶融した部分が隠蔽性を消失し、視認可能となる固有情報を記録・表示する情報表示媒体の上記保護層に紫外線、赤外線、電子線、Ｘ線、放射線、電界、化学反応等の外部刺激により可視域の光を発する発光材料を含有することで、その表示媒体の情報の改ざん・偽造を容易に確認できる真偽判定方法を提供することが可能となった。
従って、本発明の情報表示媒体の低融点金属薄膜を一部除去し、情報の改ざんを行ったり、低融点金属薄膜をすべて剥離し、情報を確認した後、再び金属薄膜を設ける偽造手法に対しても、偽造品を容易に判別可能となる。
【図面の簡単な説明】
【図１】本発明による情報表示媒体の一実施例を示す断面図である。
【図２】本発明による抽選券に用いられる情報表示媒体の一実施例を示す断面図である。
【図３】本発明による抽選券に用いられる情報表示媒体の一実施例を示す断面図である。
【図４】本発明による抽選券に用いられる情報表示媒体の一実施例を示す断面図である。
【符号の説明】
１１・・・透明基材
１２・・・低融点金属薄膜層
１３・・・保護層
２４・・・印刷情報層
３５・・・隠蔽層
３１・・・基材
１７・・・接着アンカー層
１８・・・インキジェット受像層
【図１】
2004082584.tif 000003
【図２】
2004082584.tif 000004
【図３】
2004082584.tif 000005
【図４】
2004082584.tif 000006